(57)【特許請求の範囲】
【請求項１】
用紙に転写すべき画像を担持しながら回転する像担持体と、この像担持体に接して転写ニップを形成しながら回転する転写体と、前記転写ニップの用紙搬送方向の上流側及び下流側で用紙を挟持しながら回転搬送する上流側用紙搬送体及び下流側用紙搬送体とを備え、前記用紙が前記転写ニップと前記上流側用紙搬送体の間に同時に挟持されて搬送されることと前記転写ニップと前記下流側用紙搬送体の間に同時に挟持されて搬送されることがある画像形成装置において、
用紙が普通紙又はその普通紙よりも腰の強い特殊紙のいずれかであることを認識する認識手段と、
この認識手段により用紙が普通紙であると認識されたときには、前記転写体の回転速度及び上流側用紙搬送体の回転搬送速度をいずれも前記像担持体の回転速度と同速にするとともに前記下流側用紙搬送体の回転搬送速度を前記像担持体の回転速度よりも低速にし、一方、前記認識手段により用紙が特殊紙であると認識されたときには、前記転写体の回転速度を前記像担持体の回転速度と同速にするとともに前記下流側用紙搬送体及び上流側用紙搬送体の各回転搬送速度を前記像担持体の回転速度よりも高速にする制御を行う制御手段
を設けたことを特徴とする画像形成装置。
【請求項２】
請求項１に記載の装置において、
前記制御手段は、用紙が特殊紙であると認識されたときの上流側用紙搬送体及び下流側用紙搬送体の各回転搬送速度を、さらに下流側用紙搬送体の回転搬送速度が上流側用紙搬送体の回転搬送速度よりも高速になる制御を行うことを特徴とする画像形成装置。
【請求項３】
請求項１に記載の装置において、
前記像担持体と転写体との間にその像担持体の回転動力を増速して転写体側へ伝える増速ギア列を着脱自在に設け、
かつ、その増速ギア列を介して像担持体の回転動力を転写体に伝えることにより転写体の回転速度を像担持体の回転速度よりも高速にする場合と、その増速ギア列の少なくとも１つのギアを取り外して転写体を像担持体に対して従動回転させることにより転写体の回転速度を像担持体の回転速度と同速にする場合とのいずれかに切り替え可能な構造としたことを特徴とする画像形成装置。
【請求項４】
請求項３に記載の装置において、
前記転写体の回転速度を像担持体の回転速度よりも高速にする場合、前記上流側用紙搬送体及び下流側用紙搬送体の回転搬送速度をいずれも転写体の回転速度を像担持体の回転速度と同速にした場合における当該各用紙搬送体の回転速度よりも高速にする制御を行う制御手段を設けたことを特徴とする画像形成装置。
【発明の詳細な説明】
【０００１】
【発明の属する技術分野】
本発明は、複写機、プリンタ等に代表される画像形成装置に係り、特に、画像を用紙に転写する転写部とその転写部の上流側及び下流側の用紙搬送部とにおける用紙搬送速度の調整に関するものである。
【０００２】
【従来の技術】
電子写真方式を利用した複写機、プリンタ等の画像形成装置としては、図１０に例示するように、用紙Ｐに転写する画像（トナー像）を担持する感光ドラム等からなる像担持体１００と、これに接して転写ニップＮを形成しながら回転するとともに転写バイアスが印加される転写ロール、転写ベルト等からなる転写体１２０とを備え、この両者間の転写ニップＮに用紙Ｐを通過させることにより、像担持体１００上のトナー像を用紙Ｐに対して静電的に転写する方式のものがある。図中において、符号１３０は上記転写ニップＮの用紙搬送方向（矢付一点鎖線）の上流側で用紙Ｐをそのニップ部Ｎに送り込むように挟持して搬送する上流側の用紙搬送体１３０としてのレジストロール対、１４０は上記転写ニップＮの用紙搬送方向の下流側で用紙Ｐをそのニップ部Ｎから送り出すように挟持して搬送する下流側の用紙搬送体１４０としての定着用ロール対である。
【０００３】
このような接触型の転写体１２０による転写を行う画像形成装置では、用紙ＰとしてＯＨＰシート、厚紙等のような比較的硬い（腰が強い）ものを使用した場合、その転写プロセスにおいて画像の中央部が抜けた状態で転写される、いわゆる中抜け現象（「ホローキャラクタ」とも称す）が発生しやすいという問題がある。
【０００４】
このような中抜け現象を防止する手段として、例えば、特開平４−７０７８５号公報には、転写材（用紙Ｐ）が搬送転写される間、転写部位の上流側と下流側に転写材を搬送する搬送手段（１３０，１４０）の少なくとも一方によって把持されるとともに、転写材の搬送速度を転写手段（１００，１２０）の速度よりも５％以下の範囲で速くしてなる画像形成装置が提案されている。なお、この画像形成装置では、その実施例で示すように像担持体の回転速度と接触型転写手段の回転速度を同速に設定している。
【０００５】
【発明が解決しようとする課題】
しかしながら、上記提案の画像形成装置にあっては、常に用紙の搬送速度が転写手段の速度よりも速い関係に維持されることになり、用紙Ｐとして普通紙（薄紙を含む）を使用した場合には、その転写時に用紙搬送方向即ち用紙縦方向に対して画像の倍率が変動したり（画像が伸び縮みする）、或いは、その転写後の定着時において紙しわが発生しやすいという問題がある。
【０００６】
ちなみに、前記した中抜け現象を防止するため像担持体の回転速度と接触型転写体の回転速度とを相対的にずらす手段が提案されている（例えば特開平７−３１９３０２号公報、特開平７−２４８６８６号公報）。しかし、この場合には、中抜け現象は解消されるものの、その相対的な速度差により転写体が像担持体を摺擦するため特に像担持体（感光体）が磨耗してそのライフが短くなったり、また、転写用ニップＮでの用紙搬送の安定性が悪くなるため転写像のアライメント不良が発生したり或いは転写時に用紙がずれて画像がぼける現象（スミアー）が発生するという問題がある。
【０００７】
本発明は、このような事情に鑑みなされたものであり、その目的とする１つとしては、中抜けが発生しないうえに、転写時の画像の倍率変動や定着時の紙しわの発生がなく、しかも像担持体の短ライフ化や、転写時の用紙ずれによる画像ぼけなどの発生のない良好な画像形成を行うことができる画像形成装置を提供することにある。また、他の目的としては、ユーザーの使用態様により、中抜け現象の防止などを優先させる場合と像担持体のライフの延長などを優先させる場合とを任意に選択して対応することができる画像形成装置を提供することにある。
【０００８】
【課題を解決するための手段】
上記した前者の目的を達成するための本発明（第１の発明）は、用紙に転写すべき画像を担持しながら回転する像担持体と、この像担持体に接して転写ニップを形成しながら回転する転写体と、前記転写ニップの用紙搬送方向の上流側及び下流側で用紙を挟持しながら回転搬送する上流側用紙搬送体及び下流側用紙搬送体とを備えた画像形成装置を前提とし、用紙が普通紙又は特殊紙のいずれかであることを認識する認識手段と、この認識手段により用紙が普通紙であると認識されたときには、前記転写体の回転速度及び上流側用紙搬送体の回転搬送速度をいずれも前記像担持体の回転速度と同速にするとともに前記下流側用紙搬送体の回転搬送速度を前記像担持体の回転速度よりも低速にし、一方、前記認識手段により用紙が特殊紙であると認識されたときには、前記転写体の回転速度を前記像担持体の回転速度と同速にするとともに前記下流側用紙搬送体及び上流側用紙搬送体の各回転搬送速度を前記像担持体の回転速度よりも高速にする制御を行う制御手段を設けたことを特徴とするものである。
【０００９】
ここで、上記像担持体は、通常、画像の形成も行われる感光体等であるが、画像を中間的に担持して用紙への転写部位に搬送する中間転写体であってもよい。また、上記転写体は、転写ロール、転写ベルト等である。さらに、上記上流側用紙搬送体及び下流側用紙搬送体は、通常ロール同士を圧接させたロール対からなるものであるが、ロールとベルトを組み合わせたものやベルト同士を組み合わせたベルト対であってもよい。
【００１０】
また、上記普通紙は、一般に普通紙と称されるものの他に薄紙を含むものである。一方の特殊紙は、ＯＨＰシート、厚紙（坪量１００ｇ／ｍ2以上のもの）等の比較的中抜けが発生しやすい類の記録媒体である。この普通紙と特殊紙を認識する認識手段は、例えば、ユーザー等に使用する紙種を選択指定することができる選択手段を設け、その選択手段からの選択情報を認識するようなものである。もちろん、その普通紙と特殊紙を自動的に検出できる検知手段を使用し、その検知情報を認識するようなものであってもよい。
【００１１】
さらに、上記制御手段は、上記したような各条件（関係）を満たす速度制御を行うことができるものであればよい。一般に、上記像担持体、転写体、用紙搬送体等を回転駆動させる駆動源や駆動伝達系における回転速度を調整することが可能なものが使用される。また、普通紙を使用する際に下流側用紙搬送体の回転搬送速度を像担持体の回転速度よりも低速にする場合、その低速の割合については、中抜け、画像倍率変動、紙しわ等を確実に防止できる観点から、像担持体の回転速度を１００％としたとき下流側用紙搬送体の回転搬送速度が９９．６〜９９．８％程度になるように設定することが好ましい。一方、特殊紙を使用する際に下流側用紙搬送体及び上流側用紙搬送体の各回転搬送速度を像担持体の回転速度よりも高速にする場合、その高速の割合については、中抜け、画像倍率変動、スミアー、紙しわ等を確実に防止できる観点から、両用紙搬送体の回転搬送速度が１０１〜１０５％程度になるように設定することが好ましい。
【００１２】
このような第１発明の画像形成装置によれば、普通紙のときには、中抜けが発生しにくいことに加えて、特に転写ニップから低速で回転する下流側用紙搬送体の間において普通紙がループを形成しながら下流側用紙搬送体に送り込まれるようになるため、転写時における画像の倍率変動や下流側用紙搬送体での紙しわが発生しにくくなる。また、特殊紙のときには、上流側用紙搬送体から転写ニップの間では特殊紙が高速で回転する上流側用紙搬送体により転写ニップに押し込まれるような状態で搬送され、その転写ニップから下流側用紙搬送体の間では特殊紙が高速で回転する下流側用紙搬送体により引き抜かれるような状態で搬送されるようになる。この結果、転写ニップにおける特殊紙の搬送速度が像担持体の回転速度よりもわずかながら速くなるようになるため、画像の中抜けが発生しにくくなる。
【００１３】
また、第１発明においては、上記制御手段について、用紙が特殊紙であると認識されたときの上流側用紙搬送体及び下流側用紙搬送体の各回転搬送速度を、さらに下流側用紙搬送体の回転搬送速度が上流側用紙搬送体の回転搬送速度よりも高速になる制御を行うように構成するとよい。このときの高速の割合は、上流側用紙搬送体の回転搬送速度を１００％としたとき下流側用紙搬送体の回転搬送速度が１０１〜１０３％程度になるように設定することが好ましい。
【００１４】
このように構成した場合には、特殊紙が比較的高速で回転する下流側用紙搬送体によって転写ニップから強く引き抜かれて搬送されるようになるため、画像の中抜けがより一層発生しにくくなる。
【００１５】
一方、上記した後者の目的を達成するための本発明（第２の発明）は、第１発明で前提とした前記画像形成装置において、前記像担持体と転写体との間にその像担持体の回転動力を増速して転写体側へ伝える増速ギア列を着脱自在に設け、かつ、その増速ギア列を介して像担持体の回転動力を転写体に伝えることにより転写体の回転速度を像担持体の回転速度よりも高速にする場合と、その増速ギア列の少なくとも１つのギアを取り外して転写体を像担持体に対して従動回転させることによりとのいずれかに切り替え可能な構造としたことを特徴とするものである。
【００１６】
ここで、上記増速ギア列は、像担持体の回転動力を増速して転写体側へ伝えることができかつその少なくとも１つが着脱可能に設けられているものであれば如何なるものでもよいが、像担持体側に取り付ける１つの大径ギアと転写体側に取り付ける１つの小径ギアを噛合させる簡易な構成のものが好ましい。
【００１７】
このような第２発明の画像形成装置によれば、中抜け現象の防止などを優先させたい場合には、増速ギア列を介して像担持体の回転動力を転写体に伝えるようにすれば、転写体の回転速度が像担持体の回転速度よりも高速になって転写時の画像（トナー）の崩し作用が確実に得られ、画像の中抜けが的確に防止される。一方、像担持体のライフの延長などを優先させたい場合には、その増速ギア列の少なくとも１つのギアを取り外して転写体を像担持体に対して従動回転させるようにすれば、転写体の回転速度が像担持体の回転速度と同速になって転写体が像担持体と摺擦することがなくなり、像担持体のライフが延びる。このように増速ギア列を付けたまま又は取り外すことによりユーザーの使用態様（要望）に対して簡単かつ明確に対応することができる。
【００１８】
また、第２発明において、転写体の回転速度を像担持体の回転速度よりも高速にする場合、上流側用紙搬送体及び下流側用紙搬送体の回転搬送速度をいずれも転写体の回転速度を像担持体の回転速度と同速にした場合における当該各用紙搬送体の回転速度よりも高速にする制御を行う制御手段を設けるとよい。
【００１９】
このように構成した場合には、普通紙におけるスミアー、紙しわが発生しにくい、より最適な用紙搬送を行うことが可能となる。
【００２０】
なお、本発明は、必要により、前記した第１発明と第２発明とを組み合わせて構成したものとしてもよい。例えば、第２発明を前提とし、そのうち転写体の回転速度を像担持体の回転速度と同速にする場合に、第１の発明を適用する構成としてもよい。
【００２１】
【発明の実施の形態】
［実施の形態１］
図１は、本発明の一実施形態に係る画像形成装置の主要部を示すものである。この画像形成装置は、装置本体１内に、画像情報に応じたトナー像を形成する作像部２と、この作像部２で形成されるトナー像を転写するための用紙Ｐをその作像部２の転写位置に供給する給紙部３と、この給紙部３から供給された用紙Ｐに転写されたトナー像を定着する定着部４が主に装備された構成になっている。
【００２２】
作像部２は、表面に有機感光層が形成されて図示しない駆動源により矢印Ａ方向に回転駆動する感光ドラム（像担持体）１０と、この感光ドラム１０の周囲に配設される帯電ロール１１、像露光装置１２、現像装置（現像ロール１３）、転写ロール１４、クリーニング装置（クリーニングブレード１５）等の周辺機器とで構成されている。このような作像部２では、画像形成時になると、まず感光ドラム１０の表面が帯電ロール１１により一様に帯電された後、原稿読み取り装置や外部接続機器から入力される画像情報に基づく光像（この例ではレーザービームＢｍ）が像露光装置１２から露光走査され、これにより帯電された感光ドラム１０の表面に静電潜像が形成される。続いて、その静電潜像は現像バイアスが印加されて回転する現像装置の現像ロール１３により供給される現像剤（トナー）にて顕像化されてトナー像として形成され、しかる後、そのトナー像は、感光ドラム１０とこれに圧接されて回転しかつ転写バイアスが印加される転写ロール（転写体）１４との間に形成される転写ニップＮの間に給紙部３から搬送供給される用紙Ｐに対し静電的に転写されるようになっている。転写後の感光ドラム１０は、その表面に残留付着するトナーがクリーニング装置１５により除去されて清掃される。
【００２３】
給紙部３は、作像部２の下方側となる部位において装置本体１に対し出し入れ自在な支持構造で配設され、所定のサイズ、送り方向、種類等からなる用紙Ｐが適宜配分されて収容される複数の給紙トレイ３０〜３２と、この各給紙トレイ３０〜３２から所定の用紙Ｐを１枚ずつ作像部２まで搬送する給紙路とを備えているものである。また、給紙部３は、装置本体１に突出するように装着される図示しない手差しトレイも装備されている。このような給紙部３では、画像形成時になると、その画像形成に使用すべき所望条件の用紙Ｐが収容されている所定の給紙トレイ３０〜３２からフィードロール３３によって１枚ずつ送り出された後、給紙路を構成する用紙搬送ロール対３４，３５等によってレジストロール対（上流側用紙搬送体）３６まで搬送されて一旦停止させられる。しかる後、その用紙Ｐは、レジストロール対３６によって挟持された状態で作像部２の作像（特に転写プロセス）タイミングに合わせて作像部２の転写位置（転写ニップＮ）に送り込まれるように搬送されるようになっている。また、手差しトレイに積載した用紙Ｐを使用して画像形成を行う場合には、その手差しトレイ上に積載された用紙Ｐも図示しないフィードロール等により給紙トレイからの給紙と同様に前記レジストロール対３６まで搬送されるようになっている。図中の符号３７，３８は給紙路を構成する用紙搬送ガイド、矢付一点鎖線は用紙Ｐの搬送経路である。
【００２４】
この給紙部３からレジストロール対３６を経て作像部２の転写ニップＮに供給された用紙Ｐは、その転写ニップＮを形成する感光ドラム１０と転写ロール１４とに挟持されるような状態で搬送され、これにより感光ドラム１０に形成された前記トナー像が静電的に転写されるようになっている。この転写後の用紙Ｐは、転写ニップＮから排出されて定着部４へ送られる。
【００２５】
定着部４は、前記作像部２における定着ニップＮの上方側となる位置に配設されており、所定の温度に加熱維持されて回転駆動する加熱ロール４１と、この加熱ロール４１に圧接して定着ニップを形成しながら回転する加圧ロール４２とからなる定着ロール対４０（下流側の用紙搬送体）を備えたものである。図中の符号４３はカバーを示す。このような定着部４では、転写後の用紙Ｐが定着ロール対４０で形成される定着ニップに送り込まれ、その加熱ロール４１と加圧ロール４２とに挟持されるような状態で搬送される。これにより、用紙Ｐ上のトナー像は加熱加圧されて定着されるようになっている。この定着が終了した後の用紙Ｐは、定着部４の定着ニップから排出された後、排紙ロール対４５によって装置本体１に形成された排紙部１ａに排出搬送される。このようにして基本的な画像形成が完了する。
【００２６】
そして、この画像形成装置においては、転写ロール１４の回転状態を任意に切り替えることができるようになっている。
【００２７】
すなわち、図２に示すように、作像部２における転写ロール１４が増速ギア列５により感光ドラム１０の回転駆動力を受けて増速回転する場合と、感光ドラム１０に接して従動回転する場合のいずれか一方の状態に切り替えられるようになっている。増速ギア列５は、図示しない電動モータ等の回転駆動源により回転駆動する感光ドラム１０の一端部に同軸状に取り付けられ、そのドラム径よりも少し大きめな直径からなる第１ギア５１と、転写ロール１４の回転軸１４ａに着脱自在に取り付けられ上記第１ギア５１と噛合する小径の第２ギア５２とで構成されている。
【００２８】
これにより、図２ａに示すように、第２ギア５２を転写ロールの回転軸１４ａに取り付けた場合には、転写ロール１４に感光ドラム１０の回転動力が増速ギア列５を介して増速された状態で伝えられるため、転写ロール１４が感光ドラム１０よりも高速で回転することになる。反対に、図２ｂに示すように、第２ギア５２を転写ロールの回転軸１４ａから取り外した場合には、転写ロール１４に増速ギア列５を介して感光ドラム１０の回転動力が伝わる代わりに、転写ロール１４が感光ドラム１０に圧接された状態のみとなることから、転写ロール１４が感光ドラム１０と従動回転して同速で回転することになる。また、この増速ギア列５における第２ギア５２の取付け及び取り外しの選択はユーザーの使用態様（要望）に応じて行うことができるようになっており、その取り外し作業等についてはサービスマン等が行うようになっている。
【００２９】
また、この画像形成装置においては、図４〜図５に示すように、使用する用紙Ｐの種類に応じてレジストロール対３６及び定着部４における加熱ロール４１の回転速度が制御されるようになっている。
【００３０】
すなわち、用紙Ｐとして普通紙、薄紙等の「普通紙」と称せるものを使用する場合（普通紙モード）と、用紙ＰとしてＯＨＰシート、厚紙、はがき、ラベル紙等の「特殊紙」と称せるものを使用する場合（特殊紙モード）とに分け、その普通紙モードと特殊紙モードの場合とで、レジストロール対３６及び加熱ロール４１の回転速度を微妙に異ならせる制御を行うようにしている。
【００３１】
このうち、その用紙Ｐが上記普通紙のグループのものか又は上記特殊紙のグループのものかについては、装置本体１の図示しない操作パネル等に配される特殊紙の選択スイッチ（図４中の符号６）をユーザーがＯＮ状態にする（又はＯＦＦ状態にする）ことにより認識されるようになっている。また、レジストロール対３６及び加熱ロール４１の駆動系については、この画像形成装置の場合、図３に概念的に示すように、２つの駆動源（電動モータ等）５５、５６からの回転動力が、その駆動軸や各ロール３６，４１の回転軸とに取り付けるプーリ５５ａ、５６ａ、３６ａ、４１ａとその各プーリ５５ａ、５６ａ、３６ａ、４１ａ間に適宜張架される回転伝達ベルト５７、５８とにより、レジストロール対３６（その一方のロール）及び加熱ロール４１にそれぞれ伝達されるようになっており、この各駆動源５５、５６の回転速度を調整することにより各ロール対３６，４１の回転速度を適宜調整するようになっている。
【００３２】
図４は、この用紙Ｐの種類に対応したレジストロール対３６及び加熱ロール４１の駆動系を制御する制御装置７の構成を示している。この制御装置７は、概略、その中央演算処理部７０が特殊紙の選択スイッチ６と接続されているとともに、レジストロール対３６の駆動源５５の駆動条件を制御する駆動系ドライバ７５と加熱ロール４１の駆動源５６の駆動条件を制御する駆動系ドライバ７６とに接続されている。
【００３３】
そして、このような中央演算処理部７０では、特殊紙の選択スイッチ６から入力される情報信号に応じて、メモリ部（ＲＯＭなど）に記憶された駆動系制御プログラムに従った演算処理がなされ、所定の制御信号を駆動系ドライバ７７（７５，７６）に送信するようになっている。これにより、レジストロール対３６及び加熱ロール４１の駆動源５５の回転速度が調整され、もって両ロール３６，４１の回転速度が制御される。この例では、図５に示すような制御フローに従い、その判断のもとで図６に示すような制御プログラムに基づいた各回転速度の設定がなされるようになっている。特に、図６に示す制御プログラムに関する設定データは、前記増速ギア列５の第２ギア５２を取り外して転写ロール１４を感光ドラム１０と同速回転させる場合に使用される内容である。しかも、レジロール対３６の回転速度を定着ロール対４０（加熱ロール４１）の回転速度よりも０．２％高速になるように設定した内容である。
【００３４】
次に、この駆動系制御装置に対応した画像形成装置の動作について説明する。
【００３５】
はじめに、制御装置７では、図５に示すように、特殊紙の選択スイッチ６により特殊紙モードが選択された否かについて判断されており（ステップ１０：Ｓ１０）、選択スイッチ６で選択紙モードが選択されていない場合には普通紙モードであるとみなし、図６に示すような普通紙モード用の駆動系設定が行われる（Ｓ２０）。反対に、選択スイッチ６で選択モードが選択されている場合には、図６に示すように特殊紙モード用の駆動系設定が行われる（Ｓ３０）。
【００３６】
普通紙モードが選択された場合には、図６に示すような「普通紙モード」の設定がなされ、レジストロール対３６及び定着ロール４０を定常速度で回転駆動させるようになっている（Ｓ２０）。すなわち、感光ドラム１０（及び転写ロール１４）の回転速度を１００％としたとき、レジストロール対３６の回転速度を「１００％」として感光ドラム１０と同速とし、定着ロール４０（加熱ロール４１）の回転速度を「９９．８％」として感光ドラム１０よりも低速とするような制御が行われる。
【００３７】
これにより、図７に示すように、普通紙Ｐ（Ｎ）は、レジストロール対３６、感光ドラム１０と転写ロール１４のロール対、及び定着ロール対４０により矢付点線で示すような各回転速度に応じた用紙搬送力を受けた状態で搬送される。特にこの場合、普通紙Ｐ（Ｎ）は、感光ドラム１０と転写ロール１４のロール対と定着ロール対４０との間では、その両者の回転速度差によりループを形成するような状態で少し定着ロール対４０の定着ニップ内に押し込まれるようにして搬送される。
【００３８】
一方、特殊紙モードが選択された場合には、図６に示すような「特殊紙モード」の設定がなされ、レジストロール対３６及び定着ロール４０を高速で回転駆動させるようになっている（Ｓ３０）。すなわち、レジストロール対３６の回転速度を「１０１％」、定着ロール４０（加熱ロール４１）の回転速度を「１０１．４％」として、いずれも感光ドラム１０よりも高速とするような制御が行われる。この例では、感光ドラム（転写ロール）の回転速度よりも１．４％だけ速くしている。
【００３９】
これにより、図８ａ〜ｄに示すように、特殊紙Ｐ（Ｓ）は、レジストロール対３６、感光ドラム１０と転写ロール１４のロール対、及び定着ロール対４０により矢付点線で示すような各回転速度に応じた用紙搬送力を受けた状態で搬送される。特にこの場合、特殊紙Ｐ（Ｓ）は、レジストロール対３６と感光ドラム１０と転写ロール１４のロール対との間では、その両者の回転速度差によりレジストロール対３６により転写ニップ内に押し込まれるような状態で搬送される。また、感光ドラム１０と転写ロール１４のロール対と定着ロール対４０との間では、その両者の回転速度差により定着ロール対４０により転写ニップから引き抜かれるような状態で搬送される。
【００４０】
図９に、この画像形成装置を用いて行った試験の結果について示す。
【００４１】
図９ａは、レジストロール対３６の回転速度（用紙搬送速度に相当）Ａを転写ニップＮでの用紙搬送速度Ｂ（感光ドラム１０の回転速度に相当。転写ロール１４は従同回転して感光ドラムと同速の関係にある）に対して図表中に示すように種々変更設定したうえで、普通紙（富士ゼロックスオフィスサプライ製：Ｌ紙）及び特殊紙（ＯＨＰシート、厚紙：坪量１６ｇ／ｍ2）を使用して画像形成を行った場合（サンプルNo.▲１▼〜▲５▼）、得られた画像（文字を含む）の中抜け、画像倍率変動としての平行度（用紙の搬送方向の左右両端において発生する画像の歪み）／縦倍率（用紙の搬送方向の先端部及び後端部において発生する画像の歪み）、及び、スミアー（転写ニップでの用紙ずれにより発生する像の乱れ）の発生状況についてそれぞれ調べた結果を示すものである。一方、図９ｂは、定着ロール対４０の回転速度（用紙搬送速度に相当）Ｃを転写ニップＮでの用紙搬送速度Ｂに対して図表中に示すように種々変更したうえで、普通紙及び特殊紙を使用して画像形成を行った場合（サンプルNo.ａ〜ｅ）、得られた画像の中抜け、画像倍率変動としての平行度／縦倍率、及び、紙しわ（定着ニップで発生する紙しわ）の発生状況についてそれぞれ調べた結果を示すものである。図表中に示す各結果は、以下に示す基準で評価したものである。
○：良好、  △：許容レベル内、  ×：許容できないレベル。
【００４２】
この図９ａ，９ｂに示す結果から、普通紙を使用したときに、試験サンプル▲２▼と試験サンプルａとを組み合わせた場合が良好な結果となることが確認できる。すなわち、レジロール対３６については感光ドラム１０（及び転写ロール１４：以下も同じ）と同速にする一方で、定着ロール対４０については感光ドラム１０よりも低速にすると良いことが判明した。
【００４３】
また、特殊紙を使用したときには、試験サンプル▲３▼、▲４▼と試験サンプルｃ，dとを適宜組み合わせた場合が良好な結果となることが確認できる。すなわち、レジロール対３６及び定着ロール対４０のいずれも感光ドラム１０よりも高速にすると良いことが判明した。
【００４４】
さらに、この試験では、普通紙及び特殊紙のいずれを使用した場合であっても、転写ロール１４を感光ドラム１０と（従動回転により）同速で回転させているため、転写ロール１４が感光ドラム１０を摺擦することにより生じる不具合（従来技術の説明のなかで述べた問題）は確実に回避できる。
【００４５】
ちなみに、普通紙及び特殊紙のいずれを使用する場合であっても良好な結果が得られる観点からは、図９で示す各速度設定例のうちの例えば試験サンプル▲３▼と試験サンプルｄとを組み合わせるとよい。
【００４６】
なお、この画像形成装置においては、ユーザーが特に画像の中抜け防止を優先させたいという強い要望がある場合には、前記増速ギア列５により転写ロール１４を感光ドラム１０よりも高速で回転させる。この場合には、レジストロール対３６及び加熱ロール３１の各回転速度をいずれも転写ロール１４を感光ドラム１０と同速にする場合における各回転速度（感光ドラム１０の回転速度）よりも高速にするとよい。具体的には、感光ドラム１０の回転速度を１００％としたとき、レジストロール対３６及び加熱ロール３１の回転速度を１００．２〜１００．５％程度にすることが好ましい。
【００４７】
［他の実施の形態］
実施の形態１では、本発明を白黒用の画像形成装置に適用した場合について例示したが、本発明はカラー用の画像形成装置に適用してもよい。また、画像形成装置の方式等については特に制約されない。
【００４８】
【発明の効果】
以上説明したように、第１発明の画像形成装置によれば、普通紙及び特殊紙のいずれを使用した場合であっても、中抜けが発生しないうえに、転写時の画像の倍率変動や定着時の紙しわの発生がなく、しかも像担持体の短ライフ化や、転写時の用紙ずれによる画像ぼけなどの発生のない良好な画像形成を行うことができる。また、第２発明の画像形成装置によれば、ユーザーの使用態様により、増速ギア列を使用するか又は使用しないかを切り替えるだけで、中抜け現象の防止などを優先させる場合と像担持体のライフの延長などを優先させる場合とを任意に選択し簡単かつ的確に対応することができる。
【図面の簡単な説明】
【図１】  実施形態１に係る画像形成装置の主要部を示す概要図。
【図２】  転写ロールの感光ドラムに対する駆動伝達系の構成を示す要部説明図。
【図３】  レジストロール対と定着ロール対の回転駆動系の構成を示す要部概念図。
【図４】  レジストロール対及び定着ロール対の駆動系に関する制御装置を示すブロック図。
【図５】  レジストロール対及び定着ロール対の駆動系の制御内容を示すフローチャート図。
【図６】  各ロール対等の回転速度についての制御設定内容を示す図表。
【図７】  普通紙を使用した場合の各ロール対等による用紙搬送状態を示す説明図。
【図８】  特殊紙を使用した場合の各ロール対等による用紙搬送状態を示す説明図。
【図９】  実施形態１に係る画像形成装置を用いて行った試験及びその結果を示す図表。
【図１０】  従来の画像形成装置を示す要部概念図。
【符号の説明】
５…増速ギア列、６…特殊紙の選択スイッチ（認識手段）、７…制御装置（制御手段）、１０…感光ドラム（像担持体）、１４…転写ロール（転写体）、３６…レジストロール対（上流側用紙搬送体）、４０…定着ロール対（下流側用紙搬送体）、５２…第２ギア（取り外しギア）、Ｐ…用紙、Ｐ（Ｎ）…普通紙、Ｐ（Ｓ）…特殊紙。
【図１】
0003994610.tif 000002
【図２】
0003994610.tif 000003
【図３】
0003994610.tif 000004
【図４】
0003994610.tif 000005
【図５】
0003994610.tif 000006
【図６】
0003994610.tif 000007
【図７】
0003994610.tif 000008
【図８】
0003994610.tif 000009
【図９】
0003994610.tif 000010
【図１０】
0003994610.tif 000011